(57)【特許請求の範囲】
【請求項１】
マスター監視装置を備えたマスター局と、スレーブ監視装置を備えた複数のスレーブ局とがポーリングセレクティブ方式により接続された無線通信システムにおいて、前記マスター監視装置は、無線回線の主信号に多重される補助信号である制御線を使用して、ポーリングセレクティブ方式により前記各スレーブ監視装置の監視データを収集すると共に、前記各スレーブ監視装置からの障害情報を随時受け付ける機能を有し、前記各スレーブ局にて重大な障害が発生した際に該障害に基づく障害情報信号を前記マスター局に瞬時に通報する無線通信システムにおける監視制御方式であって、
前記各スレーブ監視装置は、前記制御線のうち上り制御線に出力が接続され自局の障害情報信号と各他のスレーブ監視装置からの障害情報を入力され後記制御盤からの挿入制御信号によりいずれか一つの信号を選択する切替手段と、前記他のスレーブ監視装置からの障害情報信号を検出する信号検出手段と自局の障害情報信号を挿入中に他のスレーブ監視装置からの障害情報信号を検出した場合に該他のスレーブ監視装置からの障害情報信号を一時蓄積しておき自局の障害情報信号の送信終了後に前記他のスレーブ監視装置からの障害情報信号を前記切替手段に挿入するＦＩＦＯバッファとを備えた制御盤とを有することを特徴とした無線通信システムにおける監視制御方式。
【請求項２】
前記ＦＩＦＯバッファの記憶容量は、自局のマスター監視装置へのポーリング応答フレーム長と他のスレーブ監視装置からの重大障害フレーム長とを加えた分のバイト数であることを更に特徴とする請求項１に記載の無線通信システムにおける監視制御方式。
【発明の詳細な説明】
【０００１】
【発明の属する技術分野】
本発明は、マイクロ波無線通信システムにおける監視制御方式に関し、更に詳しくは、無線回線の主信号に多重される補助信号を制御線として使用し、マスター監視装置からのポーリングセレクティブ方式を採用した収集による監視を基本とするが、スレーブ装置側からの障害情報も随時受け付ける機能を有する無線通信システムにおける監視制御方式に関するものである。
【０００２】
【従来の技術】
マイクロ波無線通信システムにおいては、システムの運用状態を適正に保つ為に、装置の動作状況の監視を行っている。
【０００３】
通常、マイクロ波無線通信システムは有人端局と無人端局及び複数の中間中継局で構成される。有人端局にはマスター監視装置が設置され、無人端局及び中間中継局には、監視制御装置のスレーブ装置が設置される。
【０００４】
マスター監視装置は、スレーブの監視装置が収集した各局装置の監視データを主信号に多重される補助信号によりポーリングセレクティブ方式により収集する。
【０００５】
障害発生時には、マスター監視装置は収集した装置の監視データの解析を行ない、障害の原因が装置によるのか、無線回線つまり空間によるのかを切り分ける。
【０００６】
しかしながら、あるスレーブ局に重大な障害が発生した場合でもマスター局から該当するスレーブ局が呼ばれるまで、スレーブ局の障害を検出することができない場合があった。特に、スレーブ局の局数が多くなるほどスレーブ局で発生した障害を検出するまでの時間は増大している。障害の内容によっては無線装置に重大な影響を及ぼすことがあった。
【０００７】
従来、このような問題点を解決するために、特開平０３−１３７５５号公報に開示されているように、マスター〜スレーブ間の制御線の伝送速度を早くすることによりスレーブ局の情報を早期に収集する方法が用いられてきた。
【０００８】
また、マスター〜スレーブ間のポーリング間隔を短くすることにより、スレーブ局の情報を早期に収集する方法も用いられてきた。
【０００９】
図２は従来のポーリングセレクティブ方式の一例を示すブロック図である。
【００１０】
図２において、マスター監視装置１′は、無線回線の主信号に多重される補助信号である制御線を使用して、ポーリングセレクティブ方式によりスレーブ局Ｂ、Ｃの監視データを収集する。
【００１１】
マスター監視装置１′からのポーリング信号を受信した制御盤２Ｂ′、２Ｃ′は、マスター監視装置１′に対してそれぞれ切替器３Ｂ′、３Ｃ′を制御してポーリングに対する応答を制御線（上り）を使用して返す。
【００１２】
【発明が解決しようとする課題】
しかしながら、叙上の従来技術には次のような問題があった。
【００１３】
制御線の伝送速度を早くする方法は、マスター及びスレーブ装置の処理能力の向上を要求するとともに、無線回線に割り当てる制御信号の情報が相対的に増加する必要があるために、本来の主信号の伝送容量が減少するという欠点があった。
【００１４】
また、ポーリング間隔を短くする方法は、マスター及びスレーブ装置の処理能力の向上を要求すると共に、無線回線特有のフェージング等により制御線に誤りが発生した場合のリトライ処理の時間がとれないという欠点があった。
【００１５】
本発明は従来の上記実情に鑑み、従来の技術に内在する上記諸欠点を解消するためになされたものであり、従って本発明の目的は、ポーリングセレクティブ方式においてもスレーブ局からマスター局への自発的なデータの転送を可能とし、スレーブ局で重大な障害が発生した場合には、瞬時にマスター局へ障害情報を送ることを可能とした無線通信システムにおける新規な監視制御方式を提供することにある。
【００１６】
【課題を解決するための手段】
上記目的を達成する為に、本発明に係る無線通信システムにおける監視制御方式は、マスター監視装置を備えたマスター局と、スレーブ監視装置を備えた複数のスレーブ局とがポーリングセレクティブ方式により接続された無線通信システムにおいて、前記各スレーブ局にて重大な障害が発生した際に該障害に基づく障害情報信号を前記マスター局に瞬時に通報することを特徴としている。
【００１７】
本発明に係る無線通信システムにおける監視制御方式はまた、マスター監視装置を備えたマスター局と、スレーブ監視装置を備えた複数のスレーブ局とがポーリングセレクティブ方式により接続された無線通信システムにおいて、前記マスター監視装置は、無線回線の主信号に多重される補助信号である制御線を使用して、ポーリングセレクティブ方式により前記各スレーブ監視装置の監視データを収集すると共に、前記各スレーブ監視装置からの障害情報を随時受け付ける機能を有することを特徴としている。
【００１８】
前記各スレーブ監視装置は、前記制御線のうち上り制御線に出力が接続され自局の障害情報信号と各他のスレーブ監視装置からの障害情報を入力され後記制御盤からの挿入制御信号によりいずれか一つの信号を選択する切替手段と、前記他スレーブ監視装置からの障害情報信号を検出する信号検出手段と自局の障害情報信号を挿入中に他のスレーブ監視装置からの障害情報信号を検出した場合に該他のスレーブ監視装置からの障害情報信号を一時蓄積しておき自局の障害情報信号の送信終了後に前記他のスレーブ監視装置からの障害情報信号を前記切替手段に挿入するＦＩＦＯバッファとを備えた制御盤とを有している。
【００１９】
前記ＦＩＦＯバツファの記憶容量は、自局のマスター監視装置へのポーリング応答フレーム長と他のスレーブ監視装置からの重大障害フレーム長とを加えた分のバイト数であることを特徴としている。
【００２０】
【作用】
本発明においては、制御線に流れるマスター監視装置への他スレーブ装置からの障害情報信号を検出し、他スレーブ装置の障害情報信号が検出されていない状態のときのみ、緊急を要する重大な自局の障害情報信号の送信を自発的に行う。また、自局の障害情報信号を送信しているときに他スレーブ局の障害情報信号が検出された場合には、その信号をＦＩＦＯバッファに蓄えておき、自局の障害情報信号の送信が終了した後にＦＩＦＯバッファに蓄えておいた信号の送信を行なう。
【００２１】
このことにより、ポーリングセレクティブ方式の欠点であるところの重大な障害がスレーブ局において発生してもマスター局にその障害が瞬時に通知されないという点を解決することにより、マスター局において瞬時に障害の発生を知ることにより、障害に対する早急な対応をとることが可能となる。
【００２２】
【発明の実施の形態】
次に、本発明をその好ましい一実施の形態について図面を参照しながら詳細に説明する。
【００２３】
図１は、本発明による一実施の形態を示すブロック構成図である。
【００２４】
［実施の形態の構成］
図１を参照するに、Ａ局にマイクロ波無線通信システムを監視するマスター監視装置１が配置されており、Ｂ局、Ｃ局に監視対象となるスレーブ監視装置が配置されている。
【００２５】
マスター監視装置１は、無線回線の主信号に多重される補助信号である制御線を使用して、ポーリングセレクティブ方式によりＢ局、Ｃ局のスレーブ監視装置の監視データを収集することを基本とするが、Ｂ局、Ｃ局のスレーブ監視装置側からの障害情報も随時受け付ける機能を有している。
【００２６】
マスター監視装置１からのポーリング信号は、制御線（下り）１２を使用してＢ局、Ｃ局に送られる。
【００２７】
ポーリング信号を受け取ったＢ局、Ｃ局の制御盤２Ｂ、２Ｃは制御線（上り）１１を使用してマスター監視装置１に対して応答信号を送信する。切替器３Ｂ、３Ｃは、自局の障害情報信号と他スレーブ監視装置からの障害情報信号の２つを入力し、制御盤２Ｂ、２Ｃからの挿入制御信号によりどちらか一方を選択して出力する。
【００２８】
また、制御盤２Ｂ、２Ｃは他スレーブ監視装置からの障害情報信号を検出する信号検出部４Ｂ、４Ｃ及びＦＩＦＯバッファ５Ｂ、５Ｃを有しており、自局の障害情報信号を挿入中に他スレーブ監視装置からの障害情報信号を検出した場合には、他スレーブ監視装置からの障害情報信号をＦＩＦＯバッファ５Ｂ、５Ｃに蓄えておき、自局の障害情報信号の送信が終了した時点で、ＦＩＦＯバッファ５Ｂ、５Ｃに蓄えた他スレーブ監視装置局からの障害情報信号を切替器３Ｂ、３Ｃを制御して挿入する。
【００２９】
図１に示された一実施の形態においてはスレーブ監視装置としてＢ局、Ｃ局の２局を使用した場合が示されているが、３局以上とすることも可能であり、３局以上設置された場合に特にその効果が大きくなる。スレーブ監視装置が３局以上設けられた場合には、当然ＦＩＦＯバッファの容量もそれに応じて大きくなることは勿論である。
【００３０】
［実施の形態の動作］
次に、図１に示された本発明による一実施の形態の動作について、図面を参照して説明する。
【００３１】
図１を参照するに、通常、マスター監視装置１はポーリング信号を定期的にＢ局、Ｃ局のスレーブ装置に対して制御線（下り）１２を使用して送信する。
【００３２】
もし、Ｂ局において、重大な障害が発生した場合には、Ｂ局の制御盤２Ｂは信号検出部４ＢによりＣ局からの障害情報信号が送信されていないことを確認した後に、切替器３Ｂを制御して自局の障害情報信号を送信する。
【００３３】
Ｂ局の制御盤２Ｂが自局の障害情報を送信中にＣ局から障害情報が送信された場合には、ＦＩＦＯバッファ５ＢにＣ局の障害情報信号を蓄えておき、自局の障害情報信号の送信が終了した時点で、ＦＩＦＯバッファに蓄えておいた他局（この場合にはＣ局）の障害情報信号を送信する。
【００３４】
ＦＩＦＯバッファ５Ｂ、５Ｃの容量は、自局のマスター監視装置へのポーリング応答フレーム長と他スレーブ監視装置からの重大障害情報フレーム長を足し分のバイト数が必要と考えられる。
【００３５】
また、信号検出部４Ｂ、４Ｃの信号の検出方法としては、例えばＨＤＬＣフォーマット準拠により通信を行う場合、オールマークを何回か連続で受け取ったときを無通信状態とする方法が考えられる。
【００３６】
【発明の効果】
以上説明したように、本発明によれば、以下に示すような効果が得られる。
【００３７】
第１の効果は、マイクロ波無線通信システムの重大な障害の検出時間を短縮することが可能となる。
【００３８】
その理由は、スレーブ監視装置において重大な障害が発生した場合には自発的にマスター監視装置に対して障害情報を通知するために、瞬時にマスター監視装置での障害情報の認識が可能なためである。
【００３９】
第２の効果は、制御線の使用効率の向上である。
【００４０】
その理由は、自局の障害情報を送信中に、他スレーブ監視装置からの障害情報信号が検出された場合には、ＦＩＦＯバッファに蓄えておいて、別途その信号を送信するために、再送処理が不要となり、制御線を効率よく使用することができる。
【図面の簡単な説明】
【図１】本発明による一実施の形態を示すブロック構成図である。
【図２】従来例を示すブロック図である。
【符号の説明】
１、１′…マスター監視装置
１１、１２…制御線
２Ｂ、２Ｂ′、２Ｃ、２Ｃ′…制御盤
３Ｂ、３Ｂ′、３Ｃ、３Ｃ′…切替器
４Ｂ、４Ｃ…信号検出部
５Ｂ、５Ｃ…ＦＩＦＯバッファ
【図１】
0003573331.tif 000002
【図２】
0003573331.tif 000003